(57)【要約】 【課題】食器類の内側の壁面及び底面並びに外側を、一斉に、速度を速く、連続的に、安全に、洗浄力を大きく、洗剤使用量を少なくて洗浄可能な食器類洗浄用具を得ること。【解決手段】ブロック状スポンジ体の一方表面に薄厚シート状たわしが貼付けられ略方形体状に形成された外側洗浄部と、軸芯に小孔を有する円筒状スポンジ芯の周面に前記シート状たわしと同素材の内層円筒状たわし及び外層円筒状たわしが順次貼付けられ略円筒状に形成された内側洗浄部とを備え、前記スポンジ体の側面と前記円筒状スポンジ芯の端部とが折曲げ及び復元可能に連結されている食器類洗浄用具。【選択図】        図１
2005185710.tif 000002
【特許請求の範囲】
【請求項１】
ブロック状スポンジ体の一方表面に薄厚シート状たわしが貼付けられ略方形体状に形成された外側洗浄部と、軸芯に小孔を有する円筒状スポンジ芯の周面に前記シート状たわしと同素材の内層円筒状たわし及び外層円筒状たわしが順次貼付けられ略円筒状に形成された内側洗浄部とを備え、前記スポンジ体の側面と前記円筒状スポンジ芯の端部とが折曲げ及び復元可能に連結されていることを特徴とする食器類洗浄用具。
【請求項２】
内層円筒状たわしの外面に貼付けられた外層円筒状たわしが実質的に二層とされていることを特徴とする請求項１に記載の食器類洗浄用具。
【請求項３】
外側洗浄部及び内側洗浄部の長手方向長さが被洗浄食器の深さより僅かに大きくとられていることを特徴とする請求項１又は２に記載の食器類洗浄用具。
【請求項４】
シート状たわし、内層円筒状たわし及び外層円筒状たわしとして接着剤で研磨砥粒が付着されたナイロン繊維不織布を用いたことを特徴とする請求項１〜３のいずれかに記載の食器類洗浄用具。
【請求項５】
スポンジ体として発泡ウレタンを用いたことを特徴とする請求項１〜４のいずれかに記載の食器類洗浄用具。
【発明の詳細な説明】
【技術分野】
【０００１】
本発明は、コップ、茶碗等の広口筒状の食器類洗浄用具の改良に関する。
【背景技術】
【０００２】
従来広口筒状の食器類を洗浄をするときで、洗浄機による場合には、ぬるいお湯で濯ぎ、洗剤を溶かした水で洗い、更に熱湯をかけて消毒し、最後に乾燥して仕上げるといった工程を順次経ている。
又、手作業のときは、水又は洗剤を溶かした水を含むスポンジたわしによって食器の中を洗い、次いで該スポンジたわしで食器の外面を洗っている。
【０００３】
そして、スポンジたわしについては、スポンジと目の粗いナイロンたわしを一体に形成したスポンジたわしがある。
【特許文献１】特開平１１−１３７４９５号公報
【特許文献２】特開２００１−１１２７０２号公報
【発明の開示】
【発明が解決しようとする課題】
【０００４】
前記従来の食器類洗浄のうち、機械洗いのときは湯を準備し洗剤を多量に使用し、洗浄時間がかかり、コスト高である。スポンジたわしによる手作業のときは、食器の内側及び外側を別々に洗浄しなければならず、特に食器の内側の底面はスポンジたわしが届き難く、スポンジたわしとの摩擦力が弱く十分汚れを落すには手間がかかり、多数のコップ等を洗う場合には、コップ同士が互いに接触してひびが入ったり割れたりしたときに作業者が怪我をする等の事故がおこることがあった。
［特許文献１］［特許文献２］に記載の発明は、スポンジたわしの構成を変えて汚れ落しの性能アップを計ったり、底の深い容器と浅い容器とを連続して迅速に洗浄しようとしたものであるが、いずれも作業性は上記スポンジたわしによる手作業のときと大差ない。 
これに対し、本発明は、食器類の内側の壁面及び底面並びに外側を、一斉に、速度を速く、連続的に、安全に、洗浄力を大きく、且つ洗剤使用量を少なくて十分な洗浄が可能な、簡易な食器類洗浄用具を得ることを目的とする。
【課題を解決するための手段】
【０００５】
この目的を達成するために、
請求項１の発明にあっては、ブロック状スポンジ体の一方表面に薄厚シート状たわしが貼付けられ略方形体状に形成された外側洗浄部と、軸芯に小孔を有する円筒状スポンジ芯の周面に前記シート状たわしと同素材の内層円筒状たわし及び外層円筒状たわしが順次貼付けられ略円筒状に形成された内側洗浄部とを備え、前記スポンジ体の側面と前記円筒状スポンジ芯の端部とが折曲げ及び復元可能に連結されている食器類洗浄用具により解決した。
請求項２の発明にあっては、内層円筒状たわしの外面に貼付けられた外層円筒状たわしが実質的に二層とされている請求項１に記載の食器類洗浄用具とするのが好ましい。
請求項３の発明にあっては、外側洗浄部及び内側洗浄部の長手方向長さが被洗浄食器の深さより僅かに大きくとられている請求項１又は２に記載の食器類洗浄用具とすることができる。
請求項４の発明にあっては、シート状たわし、内層円筒状たわし及び外層円筒状たわしとして接着剤で研磨砥粒が付着されたナイロン繊維不織布を用いた請求項１〜３のいずれかに記載の食器類洗浄用具とするのが好ましい。
請求項５の発明にあっては、スポンジ体として発泡ウレタンを用いた請求項１〜４のいずれかに記載の食器類洗浄用具とするのが好ましい。
【発明の効果】
【０００６】
本発明の食器類洗浄用具は簡易な構造であって、食器類の内側の壁面及び底面並びに外側を、一斉に、速度を速く、連続的に、安全に、洗浄力を大きく、且つ洗剤使用量を少なくて十分な洗浄が可能である。
【発明を実施するための最良の形態】
【０００７】
本発明の実施の形態を図面を参照して説明する。
図１は、本発明の一例の食器類洗浄用具の斜視図である。
図２は、洗浄準備時における図１の食器類洗浄用具を内側方向よりみた斜視図である。 
図３は、図１、２の食器類洗浄用具による洗浄方法の説明各図である。
図４は、図１の食器類洗浄用具の製造方法を示す斜視図である。
図５は、本発明の他例の食器類洗浄用具の長手方向側面図である。
以下においては、本発明の食器類洗浄用具の使用状態において、被洗浄食器の内部を内側とし、外部を外側とし、開口部を上側とし、具体例としてガラス製コップについて説明する。
【０００８】
図１において、本発明の一例の食器類洗浄用具１は、外側洗浄部２と内側洗浄部３とが連結されて構成されている。
外側洗浄部２は、長手方向の長さＬ１ 、幅Ｗ、厚さＴの略方形体状で、ブロック状のスポンジ体２１の広い一方側の表面全体に薄厚のシート状たわし２２が接着剤を介して貼付けられて形成され、長手方向の長さＬ１ は後述する被洗浄食器４の深さＨより僅かに通常１〜２ｃｍ長く取られ、長さＬ１ の方向と直交する方向の幅Ｗは通常長さＬ１ より僅かに小さ目に取られ、厚さＴは通常２．５〜４．５ｃｍにとられている。
スポンジ体２１は、略方形体状の発泡プラスチック例えば発泡ウレタン等製で、シート状たわし２２が貼付けられている面の反対側の他方面には通常滑止めのため波形の凹凸が万満なく形成されている。シート状たわし２２は、ランダムなシート状に形成された合成繊維不織布で例えば接着剤で研磨砥粒が付着されたナイロン繊維不織布（一例：住友スリーエム株式会社製スコッチ・ブライト）で厚さｔ１ は２〜５ｍｍのものが好ましい。
【０００９】
内側洗浄部３は、前記スポンジ体２１と同素材の発泡プラスチック製で軸芯に圧縮された小孔３４を有する円筒状スポンジ芯３１と、円筒状スポンジ芯３１の周面に前記シート状たわし２２と同素材で肉厚ｔ１ の内層円筒状たわし３２が接着剤で貼付けられ、次いで内層円筒状たわし３２の外面に同素材で肉厚ｔ２ の外層円筒状たわし３３が接着剤で貼付けられ、略円筒状に形成される。ここでは、内側洗浄部３の略円柱体の軸芯長さＬ２ は外側洗浄部２の長さＬ１ と同じにとられ、外径Ｄは通常外側洗浄部２の厚さＴより僅かに大きく且つ被洗浄食器４の内径より僅かに小さく例えば３〜５ｃｍに取られている。ここで厚さｔ２ はｔ１ と同じにとっているが異なってもよい。
外側洗浄部２と内側洗浄部３とは、外側洗浄部２の幅Ｗの側面にあるスポンジ体２１の中央端部と内側洗浄部３の外部に露出している円筒状スポンジ芯３１端部とが折曲げ及び復元可能に連結されており、図１に示すフリー状態においては外層円筒状たわし３３の下端とスポンジ体２１の下端とはほぼ面一で、外層円筒状たわし３３の上端はシート状たわし２２の上面より僅かに食出した位置におかれる。内側洗浄部３の自由端側を手で把持して矢印Ｘ方向に持上げ略１８０度折曲げると、Ｌ１ ＝Ｌ２ であり図２に示すようにシート状たわし２２と外層円筒状たわし３３とが重なり合い、内側洗浄部３の自由端面と外側洗浄部２の端面とがほぼ面一に揃った洗浄準備時の状態となる。自由端側を把持した手を離すとスポンジ体２１の中央端部と円筒状スポンジ芯３１端部との連接部の弾力により略１８０度折曲げ状態から図１のフリー状態に復元する。
【００１０】
図５において、本発明の他例の食器類洗浄用具１０は、外側洗浄部２と内側洗浄部３′とが連結されて構成されている。
外側洗浄部２は食器類洗浄用具１と同様であり詳細説明を省略する。
内側洗浄部３′は、内側洗浄部３とは外層円筒状たわしが異なるのみで他の構成要素は同じであり同一符号を用いて詳細説明を省略する。内側洗浄部３では、円筒状スポンジ芯３１の周面には内層円筒状たわし３２に対し外層円筒状たわし３３の一層が巻付けられているのみであるが、内側洗浄部３′では図５に外層円筒状たわし３３′として示すように二層が巻付けられている。外層円筒状たわし３３のように一層でも目的は達成できるが、耐久性及び円筒状スポンジ芯３１に対する加圧力が不足し、三層ではコスト高となるので、外層円筒状たわし３３′のように二層とするのが好ましい。又、ここで二層とするのは製作上の制約等から厳密でなくてもよく外層円筒状たわし全体が実質的に二層であればよい。
【００１１】
食器類洗浄用具１では、内側洗浄部３の自由端面は図１に示すように、軸芯から小孔３４、円筒状スポンジ芯３１、内層円筒状たわし３２及び外層円筒状たわし３３が略同芯状に配設され、食器類洗浄用具１０では、内側洗浄部３′の自由端面は図５に示すように、二層の外層円筒状たわし３３′が略同芯状に配設されているが、この自由端面全体を被覆可能な略円板状の別体のシート状たわしを接着剤によって貼付けることとしてもよい。
外側洗浄部２の長さＬ１ と内側洗浄部３の略円柱体の軸芯長さＬ２ は同じにとっているが、被洗浄食器４の形状、大きさ、特に汚れやすい箇所に対応する等の個別条件によって差異をおく場合もあり、食器類洗浄用具１０においても同様である。
食器類洗浄用具１では、外側洗浄部２と内側洗浄部３とは、スポンジ体２１の中央端部と内側洗浄部３の外部に露出している円筒状スポンジ芯３１端部とは折曲げ及び復元可能に連結されているが、ここでスポンジ体２１と円筒状スポンジ芯３１とを切離して、スポンジ体２１及び円筒状スポンジ芯３１に端部が固着され両者に跨がって弾性を有する板ばね材等を渡して外側洗浄部２と内側洗浄部３を連結し折曲げ及び復元可能としてもよく、食器類洗浄用具１０においても同様である。
【００１２】
次に、図４によって食器類洗浄用具１及び１０の製造方法の一例を説明する。
長さＬ１ ＋Ｌ２ （本例では２Ｌ１ ）、幅Ｗ、厚さＴ−ｔ１ の略方形状発泡プラスチック材の表面に厚さｔ１ の合成繊維不織布が接着剤を介して貼付けられて外側洗浄部２及び内側洗浄部３の原材料を得る。次いで、該原材料を長さＬ１ とＬ２ に分ける中部位置にハッチングで示す通り長さが前側ａ、中側ｂ、後側ａ及び深さｃの大きさの四角せき状の切込みＳを入れて分断し、左側の長さＬ１ 部分は外側洗浄部２のスポンジ体２１とシート状たわし２２に充当し、右側の長さＬ２ 部分は内側洗浄部３の円筒状スポンジ芯３１と内層円筒状たわし３２に充当する。ここで、深さｃはシート状たわし２２及び内層円筒状たわし３２の厚さｔ１ より僅かに深くとられている。
次いで、図４に一点鎖線で示す通り、幅Ｌ２ 及び厚さｔ２ の外層円筒状たわし３３又は３３′の原反の前端縁を前記切込みＳの前側ａと中側ｂの境界に合わせ、接着剤により内層円筒状たわし３２部分の表面に貼付け後、該原反の自由端を下方向Ｙに引張り円筒状スポンジ芯３１部分を中心部において強く加圧しながら巻付ける。そして図１に示す通り、軸芯に圧縮された小孔３４を有する円筒状スポンジ芯３１の回りに内層円筒状たわし３２の表面に外層円筒状たわし３３一層が巻付けられた食器類洗浄用具１が得られる。又原反を長目にとって図５に示す通り、軸芯に圧縮された小孔３４を有する円筒状スポンジ芯３１の回りに内層円筒状たわし３２の表面に外層円筒状たわし３３′の二層が巻付けられた食器類洗浄用具１０が得られる。
【００１３】
次に、図２、３により食器類洗浄用具１による洗浄方法を説明する。
前記図２について説明した洗浄準備時の食器類洗浄用具１を用い、図３に示すように、先ず手Ａの親指Ａ１ を上から小孔３４に圧入し、次いで人差し指Ａ２ 、中指Ａ３ 、薬指Ａ４ 及び小指Ａ５ の４本をスポンジ体２１の滑止め凹凸部分の幅Ｗ全体に行き渡るように添えて、ガラス製コップである被洗浄食器４の内側の壁面及び底面に内側洗浄部３の外面が当接するように内側洗浄部３を挿入し、被洗浄食器４の外側にシート状たわし２２が当接するように外側洗浄部２を装着する。そして手Ａの親指Ａ１ 及び残りの４本指により外側洗浄部２及び内側洗浄部３を介して被洗浄食器４を挟込んで加圧下に円周面に沿って食器類洗浄用具１を回転させるか又は手Ａの別の手によって被洗浄食器４を回転させることにより洗浄作業がなされる。
このとき被洗浄食器４の内側は、壁面が外層円筒状たわし３３の表面に接触して擦られて回転し、底面が内側洗浄部３の自由端面の内外層円筒状たわし３２、３３の端面に接触して擦られて回転し洗浄され、又同時に被洗浄食器４の外側の外壁面はシート状たわし２２の表面に接触して擦られて回転し洗浄され、被洗浄食器４の内側の壁面及び底面並びに外側を一斉に且速度を速く洗浄可能である。洗剤を含んだ水を用いた場合には、先ずスポンジ体２１及び円筒状スポンジ芯３１に吸収保持され、洗浄中に徐々にシート状たわし２２及び内外層円筒状たわし３２、３３にしみ出るので、洗浄作業を連続して行うことができる。
そして手Ａの親指Ａ１ 及び残りの４本指による挟圧力によって被洗浄食器４に対する食器類洗浄用具１の摩擦力を大きく保持できるので、洗浄力が大きく、洗剤の使用量は少なくて済む。
又複数の被洗浄食器４が接触してひびが入ったり割れたりしたときでも、内外層円筒状たわし３２、３３、シート状たわし２２及びスポンジ体２１を介して洗浄しているので、作業者が怪我をすることがなく安全である。
食器類洗浄用具１０による洗浄方法も食器類洗浄用具１と同様に行えるので詳細説明は省略する。
【実施例１】
【００１４】
ブロック状の発泡ウレタン製のスポンジ体２１に厚さｔ１ ０．５ｃｍのナイロン繊維不織布（住友スリーエム株式会社製スコッチ・ブライト）のシート状たわし２２を接着剤によって貼付けて長手方向の長さＬ１ １０ｃｍ、幅Ｗ８．５ｃｍ、厚さＴ３．５ｃｍの略方形体状の外側洗浄部２とした。
スポンジ体２１と同材質の発泡ウレタン製で軸芯に小孔３４を有する円筒状スポンジ芯３１の周面にシート状たわし２２と同じ厚さｔ１ ０．５ｃｍのナイロン繊維不織布の内層円筒状たわし３２及び外層円筒状たわし３３が接着剤で貼付られ略円筒状の内側洗浄部３とした。ここで内側洗浄部３の略円柱体の軸芯長さＬ２ は外側洗浄部２の長さＬ１ と同じ１０ｃｍで、外径Ｄは外側洗浄部２の厚さＴより大きく且つ被洗浄食器４の底部内径より僅かに小さい４．５ｃｍに取って、スポンジ体２１の中央端部と外部に露出している円筒状スポンジ芯３１端部とを折曲げ及び復元可能に連結され、フリー状態の図１に示す食器類洗浄用具１が得られた。
そして、内側洗浄部３の自由端側を手で把持して上方矢印Ｘ方向に持上げ、図２に示す、内側洗浄部３の自由端面と外側洗浄部２の端面とがほぼ面一に揃った洗浄準備時の状態となるように折曲げた。
次いで前記洗浄方法で詳述した手順で、頭部内径６ｃｍ、底部内径５ｃｍ、深さＨ９ｃｍのガラス製コップの洗浄を行った所、コップの内側の壁面及び底面並びに外側を一斉に、速度を速く、連続的に、安全に、洗浄力を大きく、且つ洗剤使用量を少なく十分な洗浄を行うことができた。
【産業上の利用可能性】
【００１５】
本発明の食器類洗浄用具は簡易な構造であって、食器類の内側の壁面及び底面並びに外側を、一斉に、速度を速く、連続的に、安全に、洗浄力を大きく、コップ、茶碗等の他一般の食器類洗浄にも適用できる。
【図面の簡単な説明】
【００１６】
【図１】本発明の一例の食器類洗浄用具の斜視図である。
【図２】洗浄準備時における図１の食器類洗浄用具を内側方向よりみた斜視図である。
【図３】図１、２の食器類洗浄用具による洗浄方法の説明図で、（ａ）外側正面図、（ｂ）側面図である。
【図４】図１の食器類洗浄用具の製造方法の一例を示す斜視図である。
【図５】本発明の他例の食器類洗浄用具の長手方向側面図である。
【図６】本発明の食器類洗浄用具を用いてコップを洗う場合の斜視図である。
【符号の説明】
【００１７】
１、１０ 
食器類洗浄用具
２ 
外側洗浄部
２１ 
スポンジ体
２２ 
シート状たわし
３、３′ 
内側洗浄部
３１ 
円筒状スポンジ芯
３２    内層円筒状
３３、３３′ 
外層円筒状たわし
３４ 
小孔
４ 
被洗浄食器
Ａ 
手
Ａ１ 〜Ａ５ 
指
Ｄ 
外径
Ｈ 
深さ
Ｌ１ 、Ｌ２   長さ
Ｓ 
切込み
Ｔ、ｔ１ 、ｔ２   厚さ
【図１】
2005185710.tif 000003
【図２】
2005185710.tif 000004
【図３】
2005185710.tif 000005
【図４】
2005185710.tif 000006
【図５】
2005185710.tif 000007
【図６】
2005185710.tif 000008